(57)【特許請求の範囲】
【請求項１】
底部と、該底部の長辺部にヒンジ連結された長側壁と、前記底部の短辺部にヒンジ連結された短側壁とを有し、箱型に組み立てられた状態から、先ず最初に、前記短側壁を、前記底部に重なるように倒し、次いで、前記長側壁を、前記底部及び前記短側壁に重なるように倒すことにより折り畳み、また、折り畳まれた状態から、先ず最初に、前記底部及び前記短側壁に重ねられた状態の前記長側壁を、垂直に立て、次いで、前記底部に重ねられた状態の前記短側壁を、垂直に立てることにより箱型に組み立てるように構成されている折り畳みコンテナーにおいて、前記長側壁に形成されたヒンジ雄部の水平ピンの中心点から、水平に倒された状態の前記長側壁の外壁面及び内壁面に平行な水平線を挟んで位置する前記長側壁の上部厚みと下部厚みとの関係を、下部厚みが、上部厚みより厚くなるように構成することにより、前記底部の下面に垂設された交差リブの下端から前記長側壁の外壁面までの折り畳まれた状態の折り畳みコンテナーの高さを、前記長側壁の下部厚みと上部厚みとの差だけ低く構成するとともに、前記水平状の長側壁の外壁面と、前記底部を構成する周壁の上端とが略同じ高さになるように構成し、且つ、前記長側壁が垂直に立てられた際に、前記長側壁の内側下端部に形成される角部に、前記長側壁の板状部と周縁枠とに対して傾斜した傾斜面を形成したことを特徴とする折り畳みコンテナー。
【発明の詳細な説明】
【０００１】
【発明の属する技術分野】
本発明は、底部を囲むように配設された側壁が、底部に重なるように折り畳むことができる折り畳みコンテナーに関するものである。
【０００２】
【従来の技術】
従来，長方形の底部の相対する長辺部に、ヒンジ部を介して連結された長側壁と、同じく上記底部の相対する短辺部に、ヒンジ部を介して連結された短側壁とからなる折り畳みコンテナーが知られており、折り畳み状態においては、底部の上に短側壁が重なるように折り畳まれ、更にその上に、長側壁が折り畳まれており、そして、折り畳まれた状態の長側壁を、底部に対して垂直に立て、次いで、折り畳まれた状態の短側壁を、底部に対して垂直に立てることにより、箱型のコンテナーに組み立てるように構成されている。
【０００３】
図４〜図８を用いて、従来の一例として従来の折り畳みコンテナー、特に、そのヒンジ部について説明する。なお、図７及び図８には、長側壁より先に折り畳まれる短側壁が省略されている。
【０００４】
１は、平面形状が長方形状の底部であり、底部１の相対する長辺部１ａには、後述するヒンジ部を介して長側壁２が連結されており、また、底部１の相対する短辺部１ｂには、同じくヒンジ部を介して短側壁３が連結されている。
【０００５】
図４に示されているように、箱型に組み立てられた状態の折り畳みコンテナーを折り畳むには、先ず最初に、短側壁３を折り畳みコンテナーの内側に倒して、図５に示されているように、底部１の上に重ねる。次いで、同じく、長側壁２を折り畳みコンテナーの内側に倒して、図６に示されているように、底部１及び短側壁３の上に重ねる。逆に、図６に示されている折り畳まれた状態から、図４に示されているように組み立てるには、底部１及び短側壁３の上に重ねられた状態の長側壁２を垂直に立て、次いで、短側壁３を垂直に立てて、折り畳みコンテナーを箱型に組み立てる。
【０００６】
底部１は、下面に交差リブ１ａ’が垂設された底板１ａと、底板１ａの周縁に沿って形成されたほぼ逆Ｕ字状の二重壁部１ｂと、二重壁部１ｂを構成する外壁１ｂ１を上方に延長して形成された周壁１ｃとを有している。二重壁部１ｂを構成する内壁１ｂ２の上端からは、周壁１ｃに向かうように延在する傾斜部１ｄと、傾斜部１ｄに連接されているとともに、傾斜部１ｄに対して周壁１ｃ側に配設されている、下方が開放された半円筒状フック１ｅとからなる、ほぼ逆Ｊ字状のヒンジ雌部１ｆが延在している。
【０００７】
長側壁２は、折り畳みコンテナーが組み立てられた状態において、底部１の二重壁部１ｂを構成する内壁１ｂ２とほぼ面一になる板状部２ａと、板状部２ａの周縁に沿って、外側に水平方向に延在する周縁枠２ｂとを有しており、周縁枠２ｂの下面には、一対の垂直片２ｃと、一対の垂直片２ｃ間に配設された水平ピン２ｄとからなる、ヒンジ部の一方を構成するヒンジ雄部２ｅが、所定の間隔をおいて形成されている。また、長側壁２を構成する板状部２ａの外壁面２ａ’には、水平方向及び垂直方向に延在する補強リブ２ｆが形成されており、補強リブ２ｆの先端により形成される長側壁２の仮想外壁面２ｇは、折り畳みコンテナーが組み立てられた状態において、底部１の二重壁部１ｂを構成する外壁１ｂ１とほぼ面一になるように構成されている。
【０００８】
長側壁２に形成されたヒンジ雄部２ｅの水平ピン２ｄを、底部１に形成されたヒンジ雌部１ｆの半円筒状フック１ｅに係合させるためには、長側壁２を、上方から、長側壁２の周縁枠２ｂの下面に垂設された垂直片２ｃの外側垂直縁２ｃ’が、底部１の周壁１ｃに接触し案内されるよう下降させて、長側壁２に形成されたヒンジ雄部２ｅの水平ピン２ｄを、底部１に形成されたヒンジ雌部１ｆの半円筒状フック１ｅの外周面１ｅ’に当接させる。その後、更に、長側壁２に形成されたヒンジ雄部２ｅの水平ピン２ｄを下降させると、水平ピン２ｄに押されて、ヒンジ雌部１ｆは、その弾性力に抗して、周壁１ｃから離れる方向に傾動し、周壁１ｃと半円筒状フック１ｅの先端との間には、水平ピン２ｄが通過可能な間隙が形成される。この間隙を通過した水平ピン２ｄが、ヒンジ雌部１ｆの半円筒状フック１ｅの先端を超えて下方に移動した時点で、ヒンジ雌部１ｆは、その弾性力により、元の位置に復帰するとともに、長側壁２に形成されたヒンジ雄部２ｅの水平ピン２ｄは、図７に示されているように、ヒンジ雌部１ｆの半円筒状フック１ｅの凹部に嵌合されて、ヒンジ雌部１ｆとヒンジ雄部２ｅとからなるヒンジ部を介して、底部１と長側壁２とがヒンジ結合されるように構成されている。
【０００９】
また、図６に示されているように、短側壁３を内側に倒した後、同じく、長側壁２が、内側に略水平状に倒されることになるが、折り畳まれた折り畳みコンテナーの高さＨ１は、底部１の下面に垂設された交差リブ１ａ’の下端から、底部１を構成する周壁１ｃの上端１ｃ’と略同じ高さである、長側壁２の補強リブ２ｆの先端により形成される仮想外壁面２ｇまでの距離である。
【００１０】
【発明が解決しようとする課題】
上述した従来の折り畳みコンテナーにおいては、折り畳んだ状態の高さＨ１が高いので、折り畳みコンテナーの収納効率が悪く、折り畳みコンテナーの収納に大きなスペースを必要とするという問題がある。
【００１１】
本発明の目的は、上述した従来の折り畳みコンテナーが有する課題を解決することにある。
【００１２】
【課題を解決するための手段】
本発明は、上述した目的を達成するために、底部と、該底部の長辺部にヒンジ連結された長側壁と、前記底部の短辺部にヒンジ連結された短側壁とを有し、箱型に組み立てられた状態から、先ず最初に、前記短側壁を、前記底部に重なるように倒し、次いで、前記長側壁を、前記底部及び前記短側壁に重なるように倒すことにより折り畳み、また、折り畳まれた状態から、先ず最初に、前記底部及び前記短側壁に重ねられた状態の前記長側壁を、垂直に立て、次いで、前記底部に重ねられた状態の前記短側壁を、垂直に立てることにより箱型に組み立てるように構成されている折り畳みコンテナーにおいて、前記長側壁に形成されたヒンジ雄部の水平ピンの中心点から、水平に倒された状態の前記長側壁の外壁面及び内壁面に平行な水平線を挟んで位置する前記長側壁の上部厚みと下部厚みとの関係を、下部厚みが、上部厚みより厚くなるように構成することにより、前記底部の下面に垂設された交差リブの下端から前記長側壁の外壁面までの折り畳まれた状態の折り畳みコンテナーの高さを、前記長側壁の下部厚みと上部厚みとの差だけ低く構成するとともに、前記水平状の長側壁の外壁面と、前記底部を構成する周壁の上端とが略同じ高さになるように構成し、且つ、前記長側壁が垂直に立てられた際に、前記長側壁の内側下端部に形成される角部に、前記長側壁の板状部と周縁枠とに対して傾斜した傾斜面を形成したものである。
【００１３】
【実施例】
以下に、本発明の実施例について説明するが、本発明の趣旨を越えない限り何ら、本実施例に限定されるものでない。なお、上述した従来の折り畳みコンテナーの構成部材と同じ構成を有するものについては、同じ符号を用いるとともに、その詳細な説明は省略する。なお、図１〜図３には、長側壁より先に折り畳まれる短側壁が省略されている。
【００１４】
本発明の折り畳みコンテナーも、短側壁３を内側に倒した後、長側壁２を、同じく、内側に略水平状に倒して、上述した従来の折り畳みコンテナーと同様に、折り畳まれることになるが、本発明の折り畳みコンテナーにおいては、長側壁２に形成されたヒンジ雄部２ｅの水平ピン２ｄの中心点Ｃｐから、長側壁２の補強リブ２ｆの先端により形成される仮想外壁面２ｇ及び板状部２ａの内壁面２ａ”に平行な水平線Ｘを挟んで位置する、長側壁２の上部厚みｄ１（水平線Ｘより外側に位置する部分の厚み）と下部厚みｄ２（水平線Ｘより内側に位置する部分の厚み）との関係を、下部厚みｄ２を、上部厚みｄ１より厚く構成したものである。
【００１５】
このように構成することにより、折り畳まれた状態の底部１の下面に垂設された交差リブ１ａ’の下端から、長側壁２の補強リブ２ｆの先端により形成される仮想外壁面２ｇまでの距離である、折り畳まれた折り畳みコンテナーの高さＨ２は、上述した従来の折り畳まれた折り畳みコンテナーの高さＨ１に比べて、長側壁２の下部厚みｄ２と上部厚みｄ１との差（ｄ２−ｄ１）だけ、低くなる。従って、従来の折り畳みコンテナーに比べて、折り畳みコンテナーの収納効率が向上し、折り畳みコンテナーの収納スペースを少なくすることができる。
【００１６】
そして、図２に示されているように、折り畳まれた状態においては、略水平状の長側壁２の仮想外壁面２ｇと、底部１を構成する周壁１ｃの上端１ｃ’とが略同じ高さになるように、上述した従来の底部１を構成する周壁１ｃの上端１ｃ’に比べて、本発明の折り畳みコンテナーにおいては、底部１を構成する周壁１ｃの上端１ｃ’が低く形成されている。
【００１７】
また、図１に示されているように、組み立てられた状態においては、長側壁２の仮想外壁面２ｇは、底部１の二重壁部１ｂを構成する外壁１ｂ１の外面１ｂ１’より、折り畳みコンテナーの内側に位置することになるとともに、長側壁２の板状部２ａも、二重壁部１ｂを構成する内壁１ｂ２の内面１ｂ２’より、折り畳みコンテナーの内側に突出して位置することになる。従って、長側壁２の板状部２ａと周縁枠２ｂにより形成される略直角の角部２ｈが、長側壁２の内側下端部に形成されることになる。このような角部２ｈが、長側壁２の内側下端部に形成されると、折り畳みコンテナーから物品を取り出す際に、物品が、この角部２ｈに引っ掛かり、物品の取り出しに支障をきたすことになる。そこで、他の実施例においては、図３に示されているように、この略直角の角部２ｈに、長側壁２の板状部２ａと周縁枠２ｂとに対して傾斜した傾斜面２ｉが形成されている。このような傾斜面２ｉを形成することにより、折り畳みコンテナーから物品を取り出す際の物品の引っ掛かりを防止することができる。
【００１８】
なお、長側壁２の外壁２ａ’に補強リブ２ｆが形成されていない場合には、当然のことながら、上述した補強リブ２ｆの先端により形成される長側壁２の仮想外壁面２ｇは、実際の長側壁２の外壁面である。
【００１９】
【発明の効果】
本発明は、以上説明した構成を有しているので、以下に記載する効果を奏するものである。
【００２０】
従来の折り畳みコンテナーに比べて、折り畳みコンテナーの収納効率が向上し、折り畳みコンテナーの収納スペースを少なくすることができる。
【図面の簡単な説明】
【図１】図１は本発明の組み立てられた状態の折り畳みコンテナーの底部と長側壁のヒンジ部を含む垂直断面図である。
【図２】図２は本発明の折り畳まれた状態の折り畳みコンテナーの底部と長側壁のヒンジ部を含む垂直断面図である。
【図３】図３は本発明の組み立てられた状態の折り畳みコンテナーの底部と長側壁のヒンジ部を含む他の実施例の垂直断面図である。
【図４】図４は組み立てられた状態の折り畳みコンテナーの斜視図である。
【図５】図５は折り畳みコンテナーの折り畳み途中の斜視図である。
【図６】図６は折り畳まれた状態の折り畳みコンテナーの斜視図である。
【図７】図７は従来の組み立てられた状態の折り畳みコンテナーの底部と長側壁のヒンジ部を含む垂直断面図である。
【図８】図８は従来の折り畳まれた状態の折り畳みコンテナーの底部と長側壁のヒンジ部を含む垂直断面図である。
【符号の説明】
１・・・・・・・・底部
１ｆ・・・・・・・ヒンジ雌部
２・・・・・・・・長側壁
２ｅ・・・・・・・ヒンジ雄部
３・・・・・・・・短側壁
【図１】
0004324306.tif 000002
【図２】
0004324306.tif 000003
【図３】
0004324306.tif 000004
【図４】
0004324306.tif 000005
【図５】
0004324306.tif 000006
【図６】
0004324306.tif 000007
【図７】
0004324306.tif 000008
【図８】
0004324306.tif 000009